(57)【要約】  本開示は、ＨＡＲＱ−ＡＣＫフィードバック時間の特定方法、指示方法、端末機器及びネットワーク機器を開示し、該方法は、ＨＡＲＱ−ＡＣＫフィードバック時間パラメータを付帯し、下りセミパーシステントスケジューリング設定をアクティブ化するための下り制御シグナリングを受信することと、第１の時間領域リソースで下り伝送のセミパーシステントスケジューリングデータを受信することと、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することとを含む。
2021519002.tif 000002
【特許請求の範囲】
【請求項１】
端末機器に適用されるＨＡＲＱ−ＡＣＫ（Ｈｙｂｒｉｄ  Ａｕｔｏｍａｔｉｃ  Ｒｅｐｅａｔ  ｒｅｑｕｅｓｔ  Ａｃｋｎｏｗｌｅｄｇｅｍｅｎｔ）フィードバック時間の特定方法であって、
ＨＡＲＱ−ＡＣＫフィードバック時間パラメータを付帯し、下りセミパーシステントスケジューリング設定をアクティブ化するための下り制御シグナリングを受信することと、
第１の時間領域リソースで下り伝送のセミパーシステントスケジューリングデータを受信することと、
前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することとを含む、ＨＡＲＱ−ＡＣＫフィードバック時間の特定方法。
【請求項２】
前記ＨＡＲＱ−ＡＣＫフィードバック時間パラメータは、フィードバック時間間隔又はフィードバック時間間隔区間である、請求項１に記載の方法。
【請求項３】
前記ＨＡＲＱ−ＡＣＫフィードバック時間パラメータがフィードバック時間間隔である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔及び前記第１の時間領域リソースに基づいて、第１のＨＡＲＱ−ＡＣＫフィードバック時間を特定することと、
前記第１のＨＡＲＱ−ＡＣＫフィードバック時間の時間領域リソースフォーマットと、準静的又は動的上り下り設定が指示した時間領域リソースフォーマットとが衝突すると、前記第１のＨＡＲＱ−ＡＣＫフィードバック時間後の最も近い使用可能な上り時刻を前記ＨＡＲＱ−ＡＣＫフィードバック時間として特定することとを含む、請求項２に記載の方法。
【請求項４】
前記ＨＡＲＱ−ＡＣＫフィードバック時間パラメータがフィードバック時間間隔である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔及び前記第１の時間領域リソースに基づいて、第１のＨＡＲＱ−ＡＣＫフィードバック時間を特定することと、
前記第１のＨＡＲＱ−ＡＣＫフィードバック時間の時間領域リソースフォーマットと、準静的又は動的上り下り設定が指示した時間領域リソースフォーマットとが衝突すると、前記第１のＨＡＲＱ−ＡＣＫフィードバック時間後の、ＰＵＣＣＨ（Ｐｈｙｓｉｃａｌ  Ｕｐｌｉｎｋ  Ｃｏｎｔｒｏｌ  Ｃｈａｎｎｅｌ）リソースが設定され、かつＰＵＳＣＨ（Ｐｈｙｓｉｃａｌ  Ｕｐｌｉｎｋ  Ｓｈａｒｅｄ  Ｃｈａｎｎｅｌ）伝送がスケジューリング又は設定された、伝送方向が特定されていない最も近い使用可能な時間領域リソースである第２の時間領域リソースを前記ＨＡＲＱ−ＡＣＫフィードバック時間として特定することとを含む、請求項２に記載の方法。
【請求項５】
前記ＨＡＲＱ−ＡＣＫフィードバック時間パラメータがフィードバック時間間隔区間である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔区間及び前記第１の時間領域リソースに基づいて、第２のＨＡＲＱ−ＡＣＫフィードバック時間及びＨＡＲＱ−ＡＣＫフィードバック時間区間を特定することと、
前記第２のＨＡＲＱ−ＡＣＫフィードバック時間の時間領域リソースフォーマットと、準静的又は動的上り下り設定が指示した時間領域リソースフォーマットとが衝突し、かつ前記ＨＡＲＱ−ＡＣＫフィードバック時間区間における少なくとも１つの時間領域リソースの時間領域リソースフォーマットと、準静的又は動的上り下り設定が指示した時間領域リソースフォーマットとが衝突しないと、前記少なくとも１つの時間領域リソースのうちの１つを前記ＨＡＲＱ−ＡＣＫフィードバック時間として特定することとを含む、請求項２に記載の方法。
【請求項６】
前記ＨＡＲＱ−ＡＣＫフィードバック時間パラメータがフィードバック時間間隔区間である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔区間及び前記第１の時間領域リソースに基づいて、第２のＨＡＲＱ−ＡＣＫフィードバック時間及びＨＡＲＱ−ＡＣＫフィードバック時間区間を特定することと、
前記ＨＡＲＱ−ＡＣＫフィードバック時間区間における時間領域リソースの時間領域リソースフォーマットと、準静的又は動的上り下り設定が指示した時間領域リソースフォーマットとがいずれも衝突すると、前記ＨＡＲＱ−ＡＣＫフィードバック時間区間後の最も近い使用可能な上り時刻を前記ＨＡＲＱ−ＡＣＫフィードバック時間として特定することとを含む、請求項２に記載の方法。
【請求項７】
前記ＨＡＲＱ−ＡＣＫフィードバック時間パラメータがフィードバック時間間隔区間である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔区間及び前記第１の時間領域リソースに基づいて、第２のＨＡＲＱ−ＡＣＫフィードバック時間及びＨＡＲＱ−ＡＣＫフィードバック時間区間を特定することと、
前記ＨＡＲＱ−ＡＣＫフィードバック時間区間における時間領域リソースの時間領域リソースフォーマットと、準静的又は動的上り下り設定が指示した時間領域リソースフォーマットとがいずれも衝突すると、ＰＵＣＣＨリソースが設定され、かつ物理上り共有チャネルＰＵＳＣＨ伝送がスケジューリング又は設定された、伝送方向が特定されていない最も近い使用可能な時間領域リソースである第２の時間領域リソースを前記ＨＡＲＱ−ＡＣＫフィードバック時間として特定することとを含む、請求項２に記載の方法。
【請求項８】
第１の時間領域リソース及び前記下り伝送のセミパーシステントスケジューリングデータのＨＡＲＱ−ＡＣＫフィードバック時間のうちの少なくとも１種は、フレーム、サブフレーム、タイムスロット又はシンボルで表示される、請求項１〜７のいずれか一項に記載の方法。
【請求項９】
前記下り制御シグナリングは、前記端末機器が受信した最新の下り制御シグナリングである、請求項１に記載の方法。
【請求項１０】
ネットワーク機器に適用されるＨＡＲＱ−ＡＣＫフィードバック時間の指示方法であって、
ＨＡＲＱ−ＡＣＫフィードバック時間パラメータを付帯し、下りセミパーシステントスケジューリング設定をアクティブ化するための下り制御シグナリングを端末機器に送信することと、
第１の時間領域リソースで、前記端末機器に下り伝送のセミパーシステントスケジューリングデータを送信することと、を含み、
ここで、端末機器が、前記ＨＡＲＱ−ＡＣＫフィードバック時間パラメータ及び第１の時間領域リソースに応じて、前記下り伝送のセミパーシステントスケジューリングデータのＨＡＲＱ−ＡＣＫフィードバック時間を特定するために、前記ＨＡＲＱ−ＡＣＫフィードバック時間パラメータは用いられる、ＨＡＲＱ−ＡＣＫフィードバック時間の指示方法。
【請求項１１】
前記ＨＡＲＱ−ＡＣＫフィードバック時間パラメータに、フィードバック時間間隔又はフィードバック時間間隔区間を付帯する、請求項１０に記載の方法。
【請求項１２】
前記下り制御シグナリングは、端末機器に送信された最新の下り制御シグナリングである、請求項１１に記載の方法。
【請求項１３】
前記下り制御シグナリングにおける前記ＨＡＲＱ−ＡＣＫフィードバック時間パラメータを記憶するフィールドと、動的スケジューリング時の下り制御シグナリングにおけるＨＡＲＱ−ＡＣＫフィードバック時間パラメータを記憶するフィールドとは同じであるか、又は
前記下り制御シグナリングにおける前記ＨＡＲＱ−ＡＣＫフィードバック時間パラメータを記憶するフィールドは、新規追加フィールドである、請求項１０〜１２のいずれか一項に記載の方法。
【請求項１４】
第１の時間領域リソース及び前記下り伝送のセミパーシステントスケジューリングデータのＨＡＲＱ−ＡＣＫフィードバック時間のうちの少なくとも１種は、フレーム、サブフレーム、タイムスロット又はシンボルで表示される、請求項１０〜１３のいずれか一項に記載の方法。
【請求項１５】
下りセミパーシステントスケジューリングが設定された端末機器であって、
ＨＡＲＱ−ＡＣＫフィードバック時間パラメータを付帯し、下りセミパーシステントスケジューリング設定をアクティブ化するための下り制御シグナリングを受信する第１の受信モジュールと、
第１の時間領域リソースで下り伝送のセミパーシステントスケジューリングデータを受信する第２の受信モジュールと、
前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定する特定モジュールとを含む、端末機器。
【請求項１６】
前記ＨＡＲＱ−ＡＣＫフィードバック時間パラメータは、フィードバック時間間隔又はフィードバック時間間隔区間である、請求項１５に記載の端末機器。
【請求項１７】
前記ＨＡＲＱ−ＡＣＫフィードバック時間パラメータがフィードバック時間間隔である場合、前記特定モジュールは、
前記フィードバック時間間隔及び前記第１の時間領域リソースに基づいて、第１のＨＡＲＱ−ＡＣＫフィードバック時間を特定する第１のサブ特定モジュールと、
前記第１のＨＡＲＱ−ＡＣＫフィードバック時間の時間領域リソースフォーマットと、準静的又は動的上り下り設定が指示した時間領域リソースフォーマットとが衝突すると、前記第１のＨＡＲＱ−ＡＣＫフィードバック時間後の最も近い使用可能な上り時刻を前記ＨＡＲＱ−ＡＣＫフィードバック時間として特定する第２のサブ特定モジュールとを含む、請求項１６に記載の端末機器。
【請求項１８】
前記ＨＡＲＱ−ＡＣＫフィードバック時間パラメータがフィードバック時間間隔である場合、前記特定モジュールは、
前記フィードバック時間間隔及び前記第１の時間領域リソースに基づいて、第１のＨＡＲＱ−ＡＣＫフィードバック時間を特定する第１のサブ特定モジュールと、
前記第１のＨＡＲＱ−ＡＣＫフィードバック時間の時間領域リソースフォーマットと、準静的又は動的上り下り設定が指示した時間領域リソースフォーマットとが衝突すると、前記第１のＨＡＲＱ−ＡＣＫフィードバック時間後の、ＰＵＣＣＨリソースが設定され、かつＰＵＳＣＨ伝送がスケジューリング又は設定された、伝送方向が特定されていない最も近い使用可能な時間領域リソースである第２の時間領域リソースを前記ＨＡＲＱ−ＡＣＫフィードバック時間として特定する第２のサブ特定モジュールとを含む、請求項１６に記載の端末機器。
【請求項１９】
前記ＨＡＲＱ−ＡＣＫフィードバック時間パラメータがフィードバック時間間隔区間である場合、前記特定モジュールは、
前記フィードバック時間間隔区間及び前記第１の時間領域リソースに基づいて、第２のＨＡＲＱ−ＡＣＫフィードバック時間及びＨＡＲＱ−ＡＣＫフィードバック時間区間を特定する第１のサブ特定モジュールと、
前記第２のＨＡＲＱ−ＡＣＫフィードバック時間の時間領域リソースフォーマットと、準静的又は動的上り下り設定が指示した時間領域リソースフォーマットとが衝突し、かつ前記ＨＡＲＱ−ＡＣＫフィードバック時間区間における少なくとも１つの時間領域リソースの時間領域リソースフォーマットと、準静的又は動的上り下り設定が指示した時間領域リソースフォーマットとが衝突しないと、前記少なくとも１つの時間領域リソースのうちの１つを前記ＨＡＲＱ−ＡＣＫフィードバック時間として特定する第２のサブ特定モジュールとを含む、請求項１６に記載の端末機器。
【請求項２０】
前記ＨＡＲＱ−ＡＣＫフィードバック時間パラメータがフィードバック時間間隔区間である場合、前記特定モジュールは、
前記フィードバック時間間隔区間及び前記第１の時間領域リソースに基づいて、第２のＨＡＲＱ−ＡＣＫフィードバック時間及びＨＡＲＱ−ＡＣＫフィードバック時間区間を特定する第１のサブ特定モジュールと、
前記ＨＡＲＱ−ＡＣＫフィードバック時間区間における時間領域リソースの時間領域リソースフォーマットと、準静的又は動的上り下り設定が指示した時間領域リソースフォーマットとがいずれも衝突すると、前記ＨＡＲＱ−ＡＣＫフィードバック時間区間後の最も近い使用可能な上り時刻を前記ＨＡＲＱ−ＡＣＫフィードバック時間として特定する第２のサブ特定モジュールとを含む、請求項１６に記載の端末機器。
【請求項２１】
前記ＨＡＲＱ−ＡＣＫフィードバック時間パラメータがフィードバック時間間隔区間である場合、前記特定モジュールは、
前記フィードバック時間間隔区間及び前記第１の時間領域リソースに基づいて、第２のＨＡＲＱ−ＡＣＫフィードバック時間及びＨＡＲＱ−ＡＣＫフィードバック時間区間を特定する第１のサブ特定モジュールと、
前記ＨＡＲＱ−ＡＣＫフィードバック時間区間における時間領域リソースの時間領域リソースフォーマットと、準静的又は動的上り下り設定が指示した時間領域リソースフォーマットとがいずれも衝突すると、ＰＵＣＣＨリソースが設定され、かつ物理上り共有チャネルＰＵＳＣＨ伝送がスケジューリング又は設定された、伝送方向が特定されていない最も近い使用可能な時間領域リソースである第２の時間領域リソースを前記ＨＡＲＱ−ＡＣＫフィードバック時間として特定する第２のサブ特定モジュールとを含む、請求項１６に記載の端末機器。
【請求項２２】
第１の時間領域リソース及び前記下り伝送のセミパーシステントスケジューリングデータのＨＡＲＱ−ＡＣＫフィードバック時間のうちの少なくとも１種は、フレーム、サブフレーム、タイムスロット又はシンボルで表示される、請求項１５〜２１のいずれか一項に記載の端末機器。
【請求項２３】
前記下り制御シグナリングは、前記端末機器が受信した最新の下り制御シグナリングである、請求項１５に記載の端末機器。
【請求項２４】
ネットワーク機器であって、
ＨＡＲＱ−ＡＣＫフィードバック時間パラメータを付帯し、下りセミパーシステントスケジューリング設定をアクティブ化するための下り制御シグナリングを端末機器に送信する第１の送信モジュールと、
第１の時間領域リソースで、前記端末機器に下り伝送のセミパーシステントスケジューリングデータを送信する第２の送信モジュールと、を含み、
ここで、端末機器が、前記ＨＡＲＱ−ＡＣＫフィードバック時間パラメータ及び第１の時間領域リソースに応じて、前記下り伝送のセミパーシステントスケジューリングデータのＨＡＲＱ−ＡＣＫフィードバック時間を特定するために、前記ＨＡＲＱ−ＡＣＫフィードバック時間パラメータは用いられる、ネットワーク機器。
【請求項２５】
前記ＨＡＲＱ−ＡＣＫフィードバック時間パラメータに、フィードバック時間間隔又はフィードバック時間間隔区間を付帯する、請求項２４に記載のネットワーク機器。
【請求項２６】
前記下り制御シグナリングは、端末機器に送信された最新の下り制御シグナリングである、請求項２４に記載のネットワーク機器。
【請求項２７】
前記下り制御シグナリングにおける前記ＨＡＲＱ−ＡＣＫフィードバック時間パラメータを記憶するフィールドと、動的スケジューリング時の下り制御シグナリングにおけるＨＡＲＱ−ＡＣＫフィードバック時間パラメータを記憶するフィールドとは同じであるか、又は
前記下り制御シグナリングにおける前記ＨＡＲＱ−ＡＣＫフィードバック時間パラメータを記憶するフィールドは、新規追加フィールドである、請求項２４〜２６のいずれか一項に記載のネットワーク機器。
【請求項２８】
第１の時間領域リソース及び前記下り伝送のセミパーシステントスケジューリングデータのＨＡＲＱ−ＡＣＫフィードバック時間のうちの少なくとも１種は、フレーム、サブフレーム、タイムスロット又はシンボルで表示される、請求項２４〜２７のいずれか一項に記載のネットワーク機器。
【請求項２９】
メモリと、プロセッサと、前記メモリに記憶されて前記プロセッサ上で実行可能で、前記プロセッサによって実行されると、請求項１〜９のいずれか一項に記載の方法を実現するプログラムとを含む、端末機器。
【請求項３０】
メモリと、プロセッサと、前記メモリに記憶されて前記プロセッサ上で実行可能で、前記プロセッサによって実行されると、請求項１０〜１４のいずれか一項に記載の方法を実現するプログラムとを含む、ネットワーク機器。
【請求項３１】
プロセッサにより実行されると、請求項１〜９のいずれか一項に記載の方法又は請求項１０〜１４のいずれか一項に記載の方法を実現するプログラムが記憶されているコンピュータ読み取り可能な記憶媒体。
【発明の詳細な説明】
【技術分野】
【０００１】
本願は、２０１８年１月１２日に提出された中国特許出願第２０１８１００３２５００．１号の優先権を主張するものであり、その全ての内容が援用により本願に取り込まれる。
本開示は、通信又は端末の分野に関し、特にＨＡＲＱ−ＡＣＫフィードバック時間の特定方法と指示方法、端末機器及びネットワーク機器に関する。
【背景技術】
【０００２】
新たな無線技術（Ｎｅｗ  Ｒａｄｉｏ、ＮＲ）システムにおいて、基地局が下り伝送をスケジューリングするとき、動的スケジューリングの方式を採用してもよいし、セミパーシステントスケジューリングの方式を採用してもよく、動的スケジューリングの方式を採用する場合、スケジューリングするたびにスケジューリングシグナリングのインタラクティブを行う必要があるため、スケジューリングシグナリングに大きなオーバーヘッドを招くようになる一方、セミパーシステントスケジューリングを採用する場合、初回のスケジューリング時にのみスケジューリングシグナリングのインタラクティブを行ってもよく、後続に該初回のスケジューリング時にインタラクティブしたスケジューリングシグナリングに応じて定期的なスケジューリングを行ってもよく、スケジューリングするたびにスケジューリングシグナリングのインタラクティブを行う必要がないため、セミパーシステントスケジューリングの方式で、スケジューリングシグナリングのオーバーヘッドを削減することができるため、関連技術では、基地局は、定期的に送信され、かつフォーマットが定型化したデータをスケジューリングするとき、通常、セミパーシステントスケジューリングの方式でスケジューリングする。
【０００３】
しかしながら、基地局が動的スケジューリングの方式で下り伝送をスケジューリングする場合、スケジューリングするたびにいずれも下り制御情報（Ｄｏｗｎｌｉｎｋ  Ｃｏｎｔｒｏｌ  Ｉｎｆｏｒｍａｔｉｏｎ、ＤＣＩ）シグナリングのインタラクティブを行う（ＤＣＩシグナリングは、ユーザ機器（Ｕｓｅｒ  Ｅｑｕｉｐｍｅｎｔ、ＵＥ）がデータを受信した後のハイブリッド自動再送要求確認（Ｈｙｂｒｉｄ  Ａｕｔｏｍａｔｉｃ  Ｒｅｐｅａｔ  ｒｅｑｕｅｓｔ  Ａｃｋｎｏｗｌｅｄｇｅｍｅｎｔ、ＨＡＲＱ−ＡＣＫ）のフィードバック時間を指示する）ため、下りスケジューリングのたびに、ＵＥが下りデータを受信した後のＨＡＲＱ−ＡＣＫフィードバック時間を設定することができる一方、基地局がセミパーシステントスケジューリングの方式で下りスケジューリングを行う場合、非初回のスケジューリングの場合、通常、ＤＣＩシグナリングのインタラクティブを行わないため、非初回のスケジューリングのたびに、関連技術では、ＵＥが下りデータを受信した後のＨＡＲＱ−ＡＣＫフィードバック時間を設定することができない。
【発明の概要】
【０００４】
第１の態様では、本開示の実施例は、端末機器に適用されるＨＡＲＱ−ＡＣＫフィードバック時間の特定方法であって、
ＨＡＲＱ−ＡＣＫフィードバック時間パラメータを付帯し、下りセミパーシステントスケジューリング設定をアクティブ化するための下り制御シグナリングを受信することと、
第１の時間領域リソースで下り伝送のセミパーシステントスケジューリングデータを受信することと、
前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することとを含む、ＨＡＲＱ−ＡＣＫフィードバック時間の特定方法を提供する。
【０００５】
第２の態様では、本開示の実施例は、端末機器に適用されるＨＡＲＱ−ＡＣＫフィードバック時間の指示方法であって、
ＨＡＲＱ−ＡＣＫフィードバック時間パラメータを付帯し、下りセミパーシステントスケジューリング設定をアクティブ化するための下り制御シグナリングを端末機器に送信することと、
第１の時間領域リソースで、前記端末機器に下り伝送のセミパーシステントスケジューリングデータを送信することと、を含み、
ここで、端末機器が、前記ＨＡＲＱ−ＡＣＫフィードバック時間パラメータ及び第１の時間領域リソースに応じて、前記下り伝送のセミパーシステントスケジューリングデータのＨＡＲＱ−ＡＣＫフィードバック時間を特定するために、前記ＨＡＲＱ−ＡＣＫフィードバック時間パラメータは用いられる、ＨＡＲＱ−ＡＣＫフィードバック時間の指示方法を提供する。
【０００６】
第３の態様では、本開示の実施例は、下りセミパーシステントスケジューリングが設定された端末機器であって、
ＨＡＲＱ−ＡＣＫフィードバック時間パラメータを付帯し、下りセミパーシステントスケジューリング設定をアクティブ化するための下り制御シグナリングを受信する第１の受信モジュールと、
第１の時間領域リソースで下り伝送のセミパーシステントスケジューリングデータを受信する第２の受信モジュールと、
前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定する特定モジュールとを含む、端末機器を提供する。
【０００７】
第４の態様では、本開示の実施例は、
ＨＡＲＱ−ＡＣＫフィードバック時間パラメータを付帯し、下りセミパーシステントスケジューリング設定をアクティブ化するための下り制御シグナリングを端末機器に送信する第１の送信モジュールと、
第１の時間領域リソースで、前記端末機器に下り伝送のセミパーシステントスケジューリングデータを送信する第２の送信モジュールと、を含み、
ここで、端末機器が、前記ＨＡＲＱ−ＡＣＫフィードバック時間パラメータ及び第１の時間領域リソースに応じて、前記下り伝送のセミパーシステントスケジューリングデータのＨＡＲＱ−ＡＣＫフィードバック時間を特定するために、前記ＨＡＲＱ−ＡＣＫフィードバック時間パラメータは用いられる、ネットワーク機器を提供する。
【０００８】
第５の態様では、本開示の実施例は、メモリと、プロセッサと、前記メモリに記憶されて前記プロセッサ上で実行可能で、前記プロセッサによって実行されると、第１の態様に記載の方法を実現するプログラムとを含む端末機器を提供する。
【０００９】
第６の態様では、本開示の実施例は、メモリと、プロセッサと、前記メモリに記憶されて前記プロセッサ上で実行可能で、前記プロセッサによって実行されると、第２の態様に記載の方法を実現するプログラムとを含む端末機器を提供する。
【００１０】
第７の態様では、本開示の実施例は、プロセッサにより実行されると、第１の態様に記載の方法又は第２の態様に記載の方法を実現するプログラムが記憶されているコンピュータ読み取り可能な記憶媒体を提供する。
【図面の簡単な説明】
【００１１】
ここで説明される図面は、本開示への理解を深めるためのものであり、本開示の一部を構成し、本開示の例示的な実施例及びその説明は、本開示を説明するものであり、本開示を限定するものではない。
【００１２】
【図１】本開示の一実施例に係るＨＡＲＱ−ＡＣＫフィードバック時間の特定方法の概略フローチャートである。
【図２】本開示の別の実施例に係るＨＡＲＱ−ＡＣＫフィードバック時間の指示方法の概略フローチャートである。
【図３】本開示の実施例の端末機器の概略構成図である。
【図４】本開示の実施例のネットワーク機器の概略構成図である。
【図５】本開示の別の実施例の端末機器のブロック図である。
【図６】本開示の実施例が適用されるネットワーク側機器の構成図である。
【発明を実施するための形態】
【００１３】
以下、本開示の実施例の図面を参照して、本開示の実施例における技術手段を明確かつ完全に説明する。明らかに、記載される実施例は、本開示の実施例の一部であり、全てではない。本開示の実施例に基づいて、当業者が創造的な労働をしない前提で得られる他の全ての実施例は、いずれも本開示の保護範囲に属するものである。
【００１４】
本開示の技術手段は、様々な通信システム、例えば、グローバル移動通信システム（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）／アドバンストロングタームエボリューション（ＬＴＥ−Ａ、Ｌｏｎｇ  Ｔｅｒｍ  Ｅｖｏｌｕｔｉｏｎ  ａｄｖａｎｃｅｄ）、ＮＲ（Ｎｅｗ  Ｒａｄｉｏ）等に適用できる。
【００１５】
ユーザ機器（ＵＥ、Ｕｓｅｒ  Ｅｑｕｉｐｍｅｎｔ）は、移動端末（Ｍｏｂｉｌｅ  Ｔｅｒｍｉｎａｌ）、移動ユーザ機器等とも呼ばれ、無線アクセスネットワーク（例えば、ＲＡＮ、Ｒａｄｉｏ  Ａｃｃｅｓｓ  Ｎｅｔｗｏｒｋ）を介して１つ又は複数のコアネットワークと通信することができ、ユーザ機器は、移動端末、例えば、移動電話（又は「セル」電話と呼ばれる）と移動端末を有するコンピュータであってもよく、例えば、携帯型、ポケットサイズ式、手持ち式、コンピュータ内蔵又は車載の移動機器であってもよく、それらが無線アクセスネットワークと言語及び／又はデータを交換する。
【００１６】
基地局は、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡ（登録商標）における基地局（ＮｏｄｅＢ）であってもよく、さらにＬＴＥにおける発展型基地局（ｅＮＢ又はｅ−ＮｏｄｅＢ、Ｅｖｏｌｖｅｄ  Ｎｏｄｅ  Ｂ）及び５Ｇ基地局（ｇＮＢ）であってもよく、本開示において限定されず、説明しやすいために、下記実施例は、ｇＮＢを例にして説明する。
【００１７】
本開示の実施例は、端末機器がセミパーシステントスケジューリングの方式で下りスケジューリングを行う場合、非初回のスケジューリングの場合、受信された下りデータのＨＡＲＱ−ＡＣＫフィードバック時間の設定を実現することができるＨＡＲＱ−ＡＣＫフィードバック時間の特定方法、端末機器及びネットワーク機器を提供することを目的とする。
【００１８】
以下、添付図面を参照して、本開示の各実施例が提供する技術手段を詳細に説明する。
【００１９】
図１は、本開示の一実施例におけるＨＡＲＱ−ＡＣＫフィードバック時間の特定方法のフローチャートである。該実施例では、ＨＡＲＱ−ＡＣＫフィードバック時間の特定方法は、端末機器に適用される。図１に示される方法は、ステップ１０１〜１０３を含んでもよい。
【００２０】
ステップ１０１では、ＨＡＲＱ−ＡＣＫフィードバック時間パラメータを付帯する目標シグナリングを受信する。
【００２１】
本開示の実施例では、端末機器は、下りセミパーシステントスケジューリングを設定してもよく、具体的には、端末機器は、上位層シグナリング、例えば、ＲＲＣ（Ｒａｄｉｏ  Ｒｅｓｏｕｒｃｅ  Ｃｏｎｔｒｏｌ、無線リソース制御）シグナリングに基づいて下りセミパーシステントスケジューリングを設定してもよく、下りセミパーシステントスケジューリングを設定した後に、端末機器は、現在セミパーシステントスケジューリング設定の非アクティブ化状態にあってもよく、この場合、端末機器は、受信された下り制御シグナリング、例えば、ＤＣＩシグナリングに基づいて該非アクティブ化のセミパーシステントスケジューリング設定をアクティブ化してもよい。
【００２２】
本開示の実施例では、端末機器は、ネットワーク機器、例えば、基地局が送信した目標シグナリングを受信でき、該目標シグナリングに、ＨＡＲＱ−ＡＣＫフィードバック時間パラメータを付帯している。
【００２３】
一実施例では、上記上位層シグナリング又は上記下り制御シグナリングには、ＨＡＲＱ−ＡＣＫフィードバック時間パラメータを付帯し、すなわち上記上位層シグナリング又は上記下り制御シグナリングは、目標シグナリングであってもよい。
【００２４】
一例では、上記下り制御シグナリングにＨＡＲＱ−ＡＣＫフィードバック時間パラメータを付帯すると、上記下り制御シグナリングが目標シグナリングであることを特定することができ、上記下り制御シグナリングにＨＡＲＱ−ＡＣＫフィードバック時間パラメータを付帯していないが、上記上位層シグナリングがＨＡＲＱ−ＡＣＫフィードバック時間パラメータを付帯すると、上記上位層シグナリングが目標シグナリングであることを特定することができる。
【００２５】
一実施例では、目標シグナリングに付帯するＨＡＲＱ−ＡＣＫフィードバック時間パラメータは、１つのフィードバック時間間隔であってもよく、１つのフィードバック時間間隔区間であってもよい。例えば、目標シグナリングに付帯するＨＡＲＱ−ＡＣＫフィードバック時間パラメータは、タイムスロットＫであってもよく、タイムスロット［Ｍ，Ｎ］（ＮがＭより大きい）であってもよい。
【００２６】
一実施例では、目標シグナリングに付帯するＨＡＲＱ−ＡＣＫフィードバック時間パラメータは、１つのフィードバック時間間隔を指示してもよく、又は１つのフィードバック時間間隔区間を指示してもよい。
【００２７】
例えば、目標シグナリングに付帯するＨＡＲＱ−ＡＣＫフィードバック時間パラメータは、上位層シグナリングによって設定されたか又は予め定義されてもよい１つのセットから選択されてもよい。
【００２８】
なお、目標シグナリングが上記上位層シグナリングである場合、その付帯するＨＡＲＱ−ＡＣＫフィードバック時間パラメータは、１つのフィードバック時間間隔を指示してもよく、又は１つのフィードバック時間間隔区間を指示してもよい。
【００２９】
本開示の実施例では、目標シグナリングが上記下り制御シグナリングである場合、該下り制御シグナリングにおける上記ＨＡＲＱ−ＡＣＫフィードバック時間パラメータを記憶するフィールドと、動的スケジューリング時の下り制御シグナリングにおけるＨＡＲＱ−ＡＣＫフィードバック時間パラメータを記憶するフィールドとは同じであるか、又は目標シグナリングが上記下り制御シグナリングである場合、該下り制御シグナリングにおける上記ＨＡＲＱ−ＡＣＫフィードバック時間パラメータを記憶するフィールドは、新規追加フィールドである。
【００３０】
本開示の実施例では、目標シグナリングが上記下り制御シグナリングである場合、該目標シグナリングは、該端末機器が受信した最新の下り制御シグナリングであってもよく、例えば、該目標シグナリングは、具体的には、該端末機器が受信した、ＳＰＳ（Ｓｅｍｉ−Ｐｅｒｓｉｓｔｅｎｔ  Ｓｃｈｅｄｕｌｉｎｇ、準静的スケジューリング）ＰＤＳＣＨ（Ｐｈｙｓｉｃａｌ  Ｄｏｗｎｌｉｎｋ  Ｓｈａｒｅｄ  Ｃｈａｎｎｅｌ、物理下り共用チャネル）より前に最も近いＤＣＩであってもよい。
【００３１】
ステップ１０２では、第１の時間領域リソースで下り伝送のセミパーシステントスケジューリングデータを受信する。
【００３２】
本開示の実施例では、第１の時間領域リソースは、フレーム、サブフレーム、タイムスロット又はシンボルで表示されてもよい。
【００３３】
なお、本開示の実施例では、ステップ１０２及びステップ１０１の実行順序が限定されず、例えば、ステップ１０２を実行した後にステップ１０１を実行してもよく、又はステップ１０２を実行すると共にステップ１０１を実行してもよい。
【００３４】
ステップ１０３では、ＨＡＲＱ−ＡＣＫフィードバック時間パラメータ及び第１の時間領域リソースに基づいて、下り伝送のセミパーシステントスケジューリングデータのＨＡＲＱ−ＡＣＫフィードバック時間を特定する。
【００３５】
本開示の実施例では、該端末機器が目標シグナリングを受信した後及び第１の時間領域リソースで下り伝送のセミパーシステントスケジューリングデータを受信した後に、目標シグナリングにおけるＨＡＲＱ−ＡＣＫフィードバック時間パラメータ及び上記第１の時間領域リソースに基づいて、上記下り伝送のセミパーシステントスケジューリングデータのＨＡＲＱ−ＡＣＫフィードバック時間を特定してもよい。
【００３６】
一例では、目標シグナリングに付帯するＨＡＲＱ−ＡＣＫフィードバック時間パラメータがフィードバック時間間隔又はフィードバック時間間隔区間である場合、目標シグナリングは、第１の時間領域リソース及び該フィードバック時間間隔又はフィードバック時間間隔区間に基づいて、下り伝送のセミパーシステントスケジューリングデータのＨＡＲＱ−ＡＣＫフィードバック時間を特定してもよい。
【００３７】
例えば、目標シグナリングに付帯するＨＡＲＱ−ＡＣＫフィードバック時間パラメータは、タイムスロット数Ｋであってもよく、該端末機器がタイムスロットＨで下り伝送のセミパーシステントスケジューリングデータを受信すると、該端末機器が目標シグナリングにおけるＨＡＲＱ−ＡＣＫフィードバック時間パラメータ及び上記第１の時間領域リソースに基づいて特定された上記下り伝送のセミパーシステントスケジューリングデータのＨＡＲＱ−ＡＣＫフィードバック時間は、タイムスロットＫ＋Ｈである。
【００３８】
さらに例えば、目標シグナリングに付帯するＨＡＲＱ−ＡＣＫフィードバック時間パラメータは、タイムスロット数の範囲［Ｍ，Ｎ］であってもよく、該端末機器がタイムスロットＨで下り伝送のセミパーシステントスケジューリングデータを受信すると、該端末機器が目標シグナリングにおけるＨＡＲＱ−ＡＣＫフィードバック時間パラメータ及び上記第１の時間領域リソースに基づいて特定された上記下り伝送のセミパーシステントスケジューリングデータのＨＡＲＱ−ＡＣＫフィードバック時間は、タイムスロット［Ｈ＋Ｍ，Ｈ＋Ｎ］のうちの１つである。
【００３９】
一例では、目標シグナリングに付帯するＨＡＲＱ−ＡＣＫフィードバック時間パラメータは、フィードバック時間間隔又はフィードバック時間間隔区間の位置データ情報を指示してもよく、例えば、フィードバック時間間隔又はフィードバック時間間隔区間が上記時間セットにある位置データ情報であってもよい。この場合、該端末機器は、まず該ＨＡＲＱ−ＡＣＫフィードバック時間パラメータに基づいて上記時間セットからフィードバック時間間隔又はフィードバック時間間隔区間を特定し、次に端末機器は、第１の時間領域リソース及び該特定されたフィードバック時間間隔又はフィードバック時間間隔区間に基づいて下り伝送のセミパーシステントスケジューリングデータのＨＡＲＱ−ＡＣＫフィードバック時間を特定してもよい。
【００４０】
一実施例では、目標シグナリングに付帯するＨＡＲＱ−ＡＣＫフィードバック時間パラメータがフィードバック時間間隔である場合、該端末機器は、該フィードバック時間間隔及び上記第１の時間領域リソースに基づいて、第１のＨＡＲＱ−ＡＣＫフィードバック時間を特定してもよく、該第１のＨＡＲＱ−ＡＣＫフィードバック時間の時間領域リソースフォーマットと準静的又は動的上り下り設定が指示した時間領域リソースフォーマットとが衝突しないと、第１のＨＡＲＱ−ＡＣＫフィードバック時間をＨＡＲＱ−ＡＣＫフィードバック時間として特定する。
【００４１】
理解すべきものとして、時間領域リソースフォーマットは、上り、下り及び伝送未決という３種を含み、他の実施例における時間領域リソースフォーマットは、同様である。
【００４２】
別の実施例では、目標シグナリングに付帯するＨＡＲＱ−ＡＣＫフィードバック時間パラメータがフィードバック時間間隔である場合、該端末機器は、該フィードバック時間間隔及び上記第１の時間領域リソースに基づいて、第２のＨＡＲＱ−ＡＣＫフィードバック時間を特定してもよく、該第２のＨＡＲＱ−ＡＣＫフィードバック時間の時間領域リソースフォーマットと準静的又は動的上り下り設定が指示した時間領域リソースフォーマットとが衝突すると、該第２のＨＡＲＱ−ＡＣＫフィードバック時間後の最も近い使用可能な上り時刻をＨＡＲＱ−ＡＣＫフィードバック時間として特定してもよく、上り時刻は、上りタイムスロット又は上りシンボルであってもよい。
【００４３】
更なる実施例では、目標シグナリングに付帯するＨＡＲＱ−ＡＣＫフィードバック時間パラメータがフィードバック時間間隔である場合、該端末機器は、該フィードバック時間間隔及び上記第１の時間領域リソースに基づいて、第３のＨＡＲＱ−ＡＣＫフィードバック時間を特定してもよく、第３のＨＡＲＱ−ＡＣＫフィードバック時間の時間領域リソースフォーマットと準静的又は動的上り下り設定が指示した時間領域リソースフォーマットとが衝突すると、第３のＨＡＲＱ−ＡＣＫフィードバック時間後の、物理上りリンク制御チャネルＰＵＣＣＨリソースが設定され、かつ物理上り共有チャネルＰＵＳＣＨ伝送がスケジューリング又は設定された、伝送方向が特定されていない最も近い使用可能な時間領域リソースである第２の時間領域リソースをＨＡＲＱ−ＡＣＫフィードバック時間として特定してもよい。
【００４４】
更なる実施例では、目標シグナリングに付帯するＨＡＲＱ−ＡＣＫフィードバック時間パラメータがフィードバック時間間隔区間である場合、該端末機器は、該フィードバック時間間隔区間及び上記第１の時間領域リソースに基づいて、第４のＨＡＲＱ−ＡＣＫフィードバック時間を特定してもよく、該第４のＨＡＲＱ−ＡＣＫフィードバック時間の時間領域リソースフォーマットと準静的又は動的上り下り設定が指示した時間領域リソースフォーマットとが衝突しないと、第４のＨＡＲＱ−ＡＣＫフィードバック時間を前記ＨＡＲＱ−ＡＣＫフィードバック時間として特定する。
【００４５】
更なる実施例では、目標シグナリングに付帯するＨＡＲＱ−ＡＣＫフィードバック時間パラメータがフィードバック時間間隔区間である場合、該端末機器は、該フィードバック時間間隔区間及び上記第１の時間領域リソースに基づいて、第５のＨＡＲＱ−ＡＣＫフィードバック時間及び第１のＨＡＲＱ−ＡＣＫフィードバック時間区間を特定してもよく、第５のＨＡＲＱ−ＡＣＫフィードバック時間の時間領域リソースフォーマットと準静的又は動的上り下り設定が指示した時間領域リソースフォーマットとが衝突し、かつ前記第１のＨＡＲＱ−ＡＣＫフィードバック時間区間における少なくとも１つの時間領域リソースの時間領域リソースフォーマットと準静的又は動的上り下り設定とが衝突しないと、前記少なくとも１つの時間領域リソースのうちの１つを前記ＨＡＲＱ−ＡＣＫフィードバック時間として特定する。
【００４６】
更なる実施例では、目標シグナリングに付帯するＨＡＲＱ−ＡＣＫフィードバック時間パラメータがフィードバック時間間隔区間である場合、該端末機器は、該フィードバック時間間隔区間及び上記第１の時間領域リソースに基づいて、第６のＨＡＲＱ−ＡＣＫフィードバック時間及び第２のＨＡＲＱ−ＡＣＫフィードバック時間区間を特定してもよく、第２のＨＡＲＱ−ＡＣＫフィードバック時間区間における時間領域リソースの時間領域リソースフォーマットと準静的又は動的上り下り設定が指示した時間領域リソースフォーマットとがいずれも衝突すると、第２のＨＡＲＱ−ＡＣＫフィードバック時間区間後の最も近い使用可能なアップリング時刻をＨＡＲＱ−ＡＣＫフィードバック時間として特定してもよく、上り時刻は、上りタイムスロット又は上りシンボルであってもよい。
【００４７】
更なる実施例では、目標シグナリングに付帯するＨＡＲＱ−ＡＣＫフィードバック時間パラメータがフィードバック時間間隔区間である場合、該端末機器は、該フィードバック時間間隔区間及び上記第１の時間領域リソースに基づいて、第７のＨＡＲＱ−ＡＣＫフィードバック時間及び第３のＨＡＲＱ−ＡＣＫフィードバック時間区間を特定してもよく、第３のＨＡＲＱ−ＡＣＫフィードバック時間区間における時間領域リソースの時間領域リソースフォーマットと準静的又は動的上り下り設定が指示した時間領域リソースフォーマットとがいずれも衝突すると、該第３のＨＡＲＱ−ＡＣＫフィードバック時間後の、物理上りリンク制御チャネルＰＵＣＣＨリソースが設定され、かつＰＵＳＣＨ伝送がスケジューリング又は設定された、伝送方向が特定されていない最も近い使用可能な時間領域リソースである第２の時間領域リソースをＨＡＲＱ−ＡＣＫフィードバック時間として特定してもよい。
【００４８】
更なる実施例では、目標シグナリングに付帯するＨＡＲＱ−ＡＣＫフィードバック時間パラメータがフィードバック時間間隔である場合、該端末機器は、該フィードバック時間間隔及び上記第１の時間領域リソースに基づいて、第８のＨＡＲＱ−ＡＣＫフィードバック時間を特定してもよく、第８のＨＡＲＱ−ＡＣＫフィードバック時間の時間領域リソースフォーマットと準静的又は動的上り下り設定が指示した時間領域リソースフォーマットとが衝突すると、ＨＡＲＱ−ＡＣＫフィードバックを放棄する。
【００４９】
更なる実施例では、目標シグナリングに付帯するＨＡＲＱ−ＡＣＫフィードバック時間パラメータがフィードバック時間間隔区間である場合、該端末機器は、該フィードバック時間間隔区間及び上記第１の時間領域リソースに基づいて、第９のＨＡＲＱ−ＡＣＫフィードバック時間及び第４のＨＡＲＱ−ＡＣＫフィードバック時間区間を特定してもよく、第９のＨＡＲＱ−ＡＣＫフィードバック時間の時間領域リソースフォーマットと準静的又は動的上り下り設定が指示した時間領域リソースフォーマットとが衝突すると、ＨＡＲＱ−ＡＣＫフィードバックを放棄する。
【００５０】
本開示の実施例では、端末機器は、上記第１の時間領域リソース及びプロトコルに付帯する固定値に基づいてＨＡＲＱ−ＡＣＫフィードバック時間を特定してもよく、本開示の実施例では、固定値を付帯する該プロトコルを限定しない。
【００５１】
本開示の実施例では、該端末機器がアグリゲーションＰＤＳＣＨを受信すると、端末機器は、ＨＡＲＱ−ＡＣＫフィードバック時間を特定するとき、アグリゲーションＰＤＳＣＨを受信する受信時間区間及び自身のサービス処理能力に基づいて特定してもよい。
【００５２】
例えば、該端末機器がタイムスロットセット［Ｎ，Ｎ＋Ｋ］にアグリゲーションＰＤＳＣＨを受信することができ、かつ該端末機器が特定した自身のサービス処理能力が少なくともＨ個のタイムスロットである場合、ＨＡＲＱ−ＡＣＫフィードバック時間は、タイムスロットセット［Ｎ＋Ｈ，Ｎ＋Ｋ＋Ｈ］における１つである。
【００５３】
例えば、該端末機器がタイムスロットセット［Ｎ，Ｎ＋Ｋ］にアグリゲーションＰＤＳＣＨを受信することができ、かつ該端末機器が特定した自身のサービス処理能力が少なくともＨ個のタイムスロットであるが、Ｓ＋ＫがＨ個のタイムスロットより大きく、ＴがＨ個のタイムスロットより大きい場合、ＨＡＲＱ−ＡＣＫフィードバック時間は、［Ｎ＋Ｈ＋Ｓ，Ｎ＋Ｋ＋Ｔ］における１つであり、Ｓ、Ｔは、上記目標シグナリングに付帯するＨＡＲＱ−ＡＣＫフィードバック時間パラメータから上実施例に基づいて特定されてもよい。
【００５４】
本開示の実施例では、上記特定された下り伝送のセミパーシステントスケジューリングデータのＨＡＲＱ−ＡＣＫフィードバック時間は、フレーム、サブフレーム、タイムスロット又はシンボルで表示されてもよい。
【００５５】
本開示の実施例では、端末機器は、ＨＡＲＱ−ＡＣＫフィードバック時間パラメータを付帯する目標シグナリングを受信してもよく、また、端末機器は、第１の時間領域リソースで下り伝送のセミパーシステントスケジューリングデータを受信し、かつ該ＨＡＲＱ−ＡＣＫフィードバック時間パラメータ及び該第１の時間領域リソースに基づいて、下り伝送のセミパーシステントスケジューリングデータのＨＡＲＱ−ＡＣＫフィードバック時間を特定してもよい。
【００５６】
以上より、本実施例では、端末機器は、目標シグナリングに付帯するＨＡＲＱ−ＡＣＫフィードバック時間パラメータ及び第１の時間領域リソースにより、セミパーシステントスケジューリング、かつ非初回のスケジューリングである場合に、端末機器が受信した下り伝送のセミパーシステントスケジューリングデータのＨＡＲＱ−ＡＣＫフィードバック時間の設定を実現することにより、関連技術における問題を効果的に解決することができる。
【００５７】
図２は、本開示の一実施例におけるＨＡＲＱ−ＡＣＫフィードバック時間の指示方法のフローチャートである。該実施例では、ＨＡＲＱ−ＡＣＫフィードバック時間の特定方法は、ネットワーク機器に適用される。図２に示される方法は、ステップ２０１及び２０２を含む。
【００５８】
ステップ２０１では、ＨＡＲＱ−ＡＣＫフィードバック時間パラメータを付帯する目標シグナリングを端末機器に送信する。
【００５９】
本開示の実施例では、目標シグナリングは、ＨＡＲＱ−ＡＣＫフィードバック時間パラメータを付帯する下り制御シグナリングであってもよく、ＨＡＲＱ−ＡＣＫフィードバック時間パラメータを付帯する上位層シグナリングであってもよい。
【００６０】
本開示の実施例では、上記目標シグナリングにおけるＨＡＲＱ−ＡＣＫフィードバック時間パラメータに、フィードバック時間間隔又はフィードバック時間間隔区間を付帯してもよい。
【００６１】
一実施例では、上記目標シグナリングにおけるＨＡＲＱ−ＡＣＫフィードバック時間パラメータには、フィードバック時間間隔又はフィードバック時間間隔区間を指示するための指示情報を付帯してもよい。
【００６２】
本開示の実施例では、目標シグナリングがＨＡＲＱ−ＡＣＫフィードバック時間パラメータを付帯する下り制御シグナリングであれば、該下り制御シグナリングにおけるＨＡＲＱ−ＡＣＫフィードバック時間パラメータを記憶するフィールドと、動的スケジューリング時の下り制御シグナリングにおけるＨＡＲＱ−ＡＣＫフィードバック時間パラメータを記憶するフィールドとは同じであるか、又は下り制御シグナリングにおけるＨＡＲＱ−ＡＣＫフィードバック時間パラメータを記憶するフィールドは、新規追加フィールドである。
【００６３】
ステップ２０２では、第１の時間領域リソースで端末機器に下り伝送のセミパーシステントスケジューリングデータを送信し、ここで、端末機器は、上記ＨＡＲＱ−ＡＣＫフィードバック時間パラメータ及び第１の時間領域リソースに応じて、下り伝送のセミパーシステントスケジューリングデータのＨＡＲＱ−ＡＣＫフィードバック時間を特定するために、上記ＨＡＲＱ−ＡＣＫフィードバック時間パラメータは用いられる。
【００６４】
本開示の実施例では、第１の時間領域リソース及び該ネットワーク機器が送信した下り伝送のセミパーシステントスケジューリングデータのＨＡＲＱ−ＡＣＫフィードバック時間のうちの少なくとも１種は、フレーム、サブフレーム、タイムスロット又はシンボルで表示されてもよい。
【００６５】
本開示の実施例の具体的な実施プロセスは、上記発明の実施例を参照することができるため、ここで重複して説明しない。
【００６６】
本開示の実施例では、ネットワーク機器は、端末機器に、ＨＡＲＱ−ＡＣＫフィードバック時間パラメータを付帯する目標シグナリングを送信してもよく、また、ネットワーク機器は、第１の時間領域リソースで該端末機器に下り伝送のセミパーシステントスケジューリングデータを送信してもよく、ここで、該端末機器は、上記ＨＡＲＱ−ＡＣＫフィードバック時間パラメータ及び第１の時間領域リソースに応じて、下り伝送のセミパーシステントスケジューリングデータのＨＡＲＱ−ＡＣＫフィードバック時間を特定するために、上記ＨＡＲＱ−ＡＣＫフィードバック時間パラメータは用いられてもよい。
【００６７】
以上より、本実施例では、ネットワーク機器が端末機器に目標シグナリングを送信し、かつ第１の時間領域リソースで該端末機器に下り伝送のセミパーシステントスケジューリングデータを送信することができることにより、端末機器は、目標シグナリング及び第１の時間領域リソースに応じて、セミパーシステントスケジューリング、かつ非初回のスケジューリングである場合に、受信した下り伝送のセミパーシステントスケジューリングデータのＨＡＲＱ−ＡＣＫフィードバック時間の設定を実現し、それにより、関連技術における問題を解決することができる。
【００６８】
図３は、本開示の実施例の端末機器の概略構成図である。図３に示すように、端末機器３００は、
ＨＡＲＱ−ＡＣＫフィードバック時間パラメータを付帯する目標シグナリングを受信する第１の受信モジュール３０１と、
第１の時間領域リソースで下り伝送のセミパーシステントスケジューリングデータを受信する第２の受信モジュール３０２と、
該ＨＡＲＱ−ＡＣＫフィードバック時間パラメータ及び該第１の時間領域リソースに基づいて、該下り伝送のセミパーシステントスケジューリングデータのＨＡＲＱ−ＡＣＫフィードバック時間を特定する特定モジュール３０３とを含む。
【００６９】
選択的には、該ＨＡＲＱ−ＡＣＫフィードバック時間パラメータは、フィードバック時間間隔又はフィードバック時間間隔区間である。
【００７０】
選択的には、いくつかの実施例では、該ＨＡＲＱ−ＡＣＫフィードバック時間パラメータがフィードバック時間間隔である場合、該特定モジュール３０３は、
該フィードバック時間間隔及び該第１の時間領域リソースに基づいて、第１のＨＡＲＱ−ＡＣＫフィードバック時間を特定する第１のサブ特定モジュールと、
該第１のＨＡＲＱ−ＡＣＫフィードバック時間の時間領域リソースフォーマットと準静的又は動的上り下り設定が指示した時間領域リソースフォーマットとが衝突すると、該第１のＨＡＲＱ−ＡＣＫフィードバック時間後の最も近い使用可能な上り時刻を該ＨＡＲＱ−ＡＣＫフィードバック時間として特定する第２のサブ特定モジュールとを含む。
【００７１】
選択的には、いくつかの実施例では、該ＨＡＲＱ−ＡＣＫフィードバック時間パラメータがフィードバック時間間隔である場合、該特定モジュール３０３は、
該フィードバック時間間隔及び該第１の時間領域リソースに基づいて、第１のＨＡＲＱ−ＡＣＫフィードバック時間を特定する第１のサブ特定モジュールと、
該第１のＨＡＲＱ−ＡＣＫフィードバック時間の時間領域リソースフォーマットと準静的又は動的上り下り設定が指示した時間領域リソースフォーマットとが衝突すると、該第１のＨＡＲＱ−ＡＣＫフィードバック時間後の、物理上りリンク制御チャネルＰＵＣＣＨリソースが設定され、かつ物理上り共有チャネルＰＵＳＣＨ伝送がスケジューリング又は設定された、伝送方向が特定されていない最も近い使用可能な時間領域リソースである第２の時間領域リソースを該ＨＡＲＱ−ＡＣＫフィードバック時間として特定する第２のサブ特定モジュールとを含む。
【００７２】
選択的には、いくつかの実施例では、該ＨＡＲＱ−ＡＣＫフィードバック時間パラメータがフィードバック時間間隔区間である場合、該特定モジュール３０３は、
該フィードバック時間間隔及び該第１の時間領域リソースに基づいて、第２のＨＡＲＱ−ＡＣＫフィードバック時間及びＨＡＲＱ−ＡＣＫフィードバック時間区間を特定する第１のサブ特定モジュールと、
第２のＨＡＲＱ−ＡＣＫフィードバック時間の時間領域リソースフォーマットと準静的又は動的上り下り設定が指示した時間領域リソースフォーマットとが衝突し、かつ該ＨＡＲＱ−ＡＣＫフィードバック時間区間における少なくとも１つの時間領域リソースの時間領域リソースフォーマットと、準静的及び動的上り下り設定が指示した時間領域リソースフォーマットとが衝突しないと、該少なくとも１つの時間領域リソースのうちの１つを該ＨＡＲＱ−ＡＣＫフィードバック時間として特定する第２のサブ特定モジュールとを含む。
【００７３】
選択的には、いくつかの実施例では、該ＨＡＲＱ−ＡＣＫフィードバック時間パラメータがフィードバック時間間隔区間である場合、該特定モジュール３０３は、
該フィードバック時間間隔及び該第１の時間領域リソースに基づいて、第２のＨＡＲＱ−ＡＣＫフィードバック時間及びＨＡＲＱ−ＡＣＫフィードバック時間区間を特定する第１のサブ特定モジュールと、
該ＨＡＲＱ−ＡＣＫフィードバック時間区間における時間領域リソースの時間領域リソースフォーマットと準静的又は動的上り下り設定が指示した時間領域リソースフォーマットとがいずれも衝突すると、該ＨＡＲＱ−ＡＣＫフィードバック時間区間後の最も近い使用可能な上り時刻を該ＨＡＲＱ−ＡＣＫフィードバック時間として特定する第２のサブ特定モジュールとを含む。
【００７４】
選択的には、いくつかの実施例では、該ＨＡＲＱ−ＡＣＫフィードバック時間パラメータがフィードバック時間間隔区間である場合、該特定モジュール３０３は、
該フィードバック時間間隔及び該第１の時間領域リソースに基づいて、第２のＨＡＲＱ−ＡＣＫフィードバック時間及びＨＡＲＱ−ＡＣＫフィードバック時間区間を特定する第１のサブ特定モジュールと、
該記ＨＡＲＱ−ＡＣＫフィードバック時間区間における時間領域リソースの時間領域リソースフォーマットと準静的又は動的上り下り設定が指示した時間領域リソースフォーマットとがいずれも衝突すると、該下りセミパーシステントスケジューリング設定で指示された上り伝送のセミパーシステントスケジューリング時間における、該ＨＡＲＱ−ＡＣＫフィードバック時間区間後の、物理上りリンク制御チャネルＰＵＣＣＨリソースが設定され、かつＰＵＳＣＨ伝送がスケジューリング又は設定された、伝送方向が特定されていない最も近い使用可能な時間領域リソースである第２の時間領域リソースを該ＨＡＲＱ−ＡＣＫフィードバック時間として特定する第２のサブ特定モジュールとを含む。
【００７５】
選択的には、いくつかの実施例では、第１の時間領域リソース及び該下り伝送のセミパーシステントスケジューリングデータのＨＡＲＱ−ＡＣＫフィードバック時間のうちの少なくとも１種は、フレーム、サブフレーム、タイムスロット又はシンボルで表示される。
【００７６】
選択的には、いくつかの実施例では、該目標シグナリングは、下りセミパーシステントスケジューリング設定を設定するための上位層シグナリング、又は下りセミパーシステントスケジューリング設定をアクティブ化するための下り制御シグナリングである。
【００７７】
選択的には、いくつかの実施例では、目標シグナリングが下り制御シグナリングである場合、該目標シグナリングは、該端末機器が受信した最新の下り制御シグナリングである。
【００７８】
端末機器３００は、図１の方法をさらに実行し、かつ端末機器の図１に示される実施例での機能を実現することができ、具体的な実現について、図１に示される実施例を参照することができ、繰り返し説明しない。
【００７９】
図４は、本開示の実施例のネットワーク機器の概略構成図である。図３に示すように、ネットワーク機器４００は、
ＨＡＲＱ−ＡＣＫフィードバック時間パラメータを付帯する目標シグナリングを端末機器に送信する第１の送信モジュール４０１と、
第１の時間領域リソースで該端末機器に下り伝送のセミパーシステントスケジューリングデータを送信する第２の送信モジュール４０２と、を含んでもよく、
ここで、端末機器は、該ＨＡＲＱ−ＡＣＫフィードバック時間パラメータ及び第１の時間領域リソースに応じて、該下り伝送のセミパーシステントスケジューリングデータのＨＡＲＱ−ＡＣＫフィードバック時間を特定するために、該ＨＡＲＱ−ＡＣＫフィードバック時間パラメータは用いられる。
【００８０】
選択的には、いくつかの実施例では、該ＨＡＲＱ−ＡＣＫフィードバック時間パラメータに、フィードバック時間間隔又はフィードバック時間間隔区間を付帯している。
【００８１】
選択的には、いくつかの実施例では、目標シグナリングが下り制御シグナリングである場合、該下り制御シグナリングは、端末機器に送信された最新の下り制御シグナリングである。
【００８２】
選択的には、いくつかの実施例では、目標シグナリングが下り制御シグナリングである場合、該下り制御シグナリングにおける該ＨＡＲＱ−ＡＣＫフィードバック時間パラメータを記憶するフィールドと、動的スケジューリング時の下り制御シグナリングにおけるＨＡＲＱ−ＡＣＫフィードバック時間パラメータを記憶するフィールドとは同じである。
【００８３】
選択的には、いくつかの実施例では、目標シグナリングが下り制御シグナリングである場合、該下り制御シグナリングにおける該ＨＡＲＱ−ＡＣＫフィードバック時間パラメータを記憶するフィールドは、新規追加フィールドである。
【００８４】
選択的には、いくつかの実施例では、第１の時間領域リソース及び該下り伝送のセミパーシステントスケジューリングデータのＨＡＲＱ−ＡＣＫフィードバック時間のうちの少なくとも１種は、フレーム、サブフレーム、タイムスロット又はシンボルで表示される。
【００８５】
選択的には、いくつかの実施例では、該目標シグナリングは、下りセミパーシステントスケジューリング設定を設定するための上位層シグナリング、又は下りセミパーシステントスケジューリング設定をアクティブ化するための下り制御シグナリングである。
【００８６】
ネットワーク機器４００は、図２の方法をさらに実行し、かつネットワーク機器の図２に示される実施例での機能を実現することができ、具体的な実現について、図２に示される実施例を参照することができ、繰り返し説明しない。
【００８７】
図５は、本開示の別の実施例の端末機器のブロック図である。図５に示される端末機器５００は、少なくとも１つのプロセッサ５０１、メモリ５０２、少なくとも１つのネットワークインタフェース５０４及びユーザインタフェース５０３を含む。端末機器５００内の各組立部品は、バスシステム５０５により接続されている。理解できるように、バスシステム５０５は、これらの組立部品間の接続通信を実現する。バスシステム５０５は、データバスに加えて、電源バス、制御バス及び状態信号バスをさらに含む。しかしながら、説明を明瞭にするために、図５において、様々なバスをいずれもバスシステム５０５と表記する。
【００８８】
ユーザインタフェース５０３は、ディスプレイ、キーボード又はポインティング機器（例えば、マウス、トラックボール（ｔｒａｃｋｂａｌｌ））、タッチパッド又はタッチスクリーンなどを含んでもよい。
【００８９】
本開示の実施例におけるメモリ５０２は、揮発性メモリ又は不揮発性メモリであってもよいか、又は揮発性及び不揮発性メモリの両方を含んでもよいことを理解されたい。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってもよい。例であって限定するものではないが、スタティック・ランダム・アクセス・メモリ（Ｓｔａｔｉｃ  ＲＡＭ、ＳＲＡＭ）、ダイナミック・ランダム・アクセス・メモリ（Ｄｙｎａｍｉｃ  ＲＡＭ、ＤＲＡＭ）、シンクロナス・ダイナミック・ランダム・アクセス・メモリ（Ｓｙｎｃｈｒｏｎｏｕｓ  ＤＲＡＭ、ＳＤＲＡＭ）、ダブル・データ・レート・シンクロナス・ダイナミック・ランダム・アクセス・メモリ（Ｄｏｕｂｌｅ  Ｄａｔａ  Ｒａｔｅ  ＳＤＲＡＭ、ＤＤＲＳＤＲＡＭ）、エンハンスド・シンクロナス・ダイナミック・ランダム・アクセス・メモリ（Ｅｎｈａｎｃｅｄ  ＳＤＲＡＭ、ＥＳＤＲＡＭ）、シンクリンク・ダイナミック・ランダム・アクセス・メモリ（Ｓｙｎｃｈｌｉｎｋ  ＤＲＡＭ、ＳＬＤＲＡＭ）及びダイレクト・ラムバス・ランダム・アクセス・メモリ（Ｄｉｒｅｃｔ  Ｒａｍｂｕｓ  ＲＡＭ、ＤＲＲＡＭ）などの多くの形態のＲＡＭが使用され得る。本開示の実施例に記載されるシステム及び方法のメモリ５０２は、これらのメモリ及び適切なタイプの任意の他のメモリを含むが、これらに限定されないことが意図される。
【００９０】
いくつかの実施形態において、メモリ５０２は、動作可能なモジュール又はデータ構造、又はそれらのサブセット、又はオペレーティングシステム５０２１及びアプリケーションプログラム５０２２であるそれらの拡張セットなどの要素を記憶する。
【００９１】
オペレーティングシステム５０２１は、様々な基本的なタスクを実現し、かつハードウェアベースのタスクを処理する、フレームワーク層、コアライブラリ層、ドライバ層などの様々なシステムプログラムを含む。アプリケーションプログラム５０２２は、様々なアプリケーションサービスを実現する、メディアプレーヤー（Ｍｅｄｉａ  Ｐｌａｙｅｒ）、ブラウザ（Ｂｒｏｗｓｅｒ）などの様々なアプリケーションプログラムを含む。本開示の実施例の方法を実現するためのプログラムは、アプリケーションプログラム５０２２に含まれてもよい。
【００９２】
本開示の実施例では、端末機器５００は、メモリ５０２に記憶されてプロセッサ５０１上で実行可能で、プロセッサ５０１によって実行されると、
ＨＡＲＱ−ＡＣＫフィードバック時間パラメータを付帯する目標シグナリングを受信するステップと、
第１の時間領域リソースで下り伝送のセミパーシステントスケジューリングデータを受信するステップと、
該ＨＡＲＱ−ＡＣＫフィードバック時間パラメータ及び該第１の時間領域リソースに基づいて、該下り伝送のセミパーシステントスケジューリングデータのＨＡＲＱ−ＡＣＫフィードバック時間を特定するステップと、を実現するコンピュータプログラムをさらに含む。
【００９３】
上記本開示の図１に示される実施例に開示された方法は、プロセッサ５０１に適用できるか、又はプロセッサ５０１によって実現される。プロセッサ５０１は、信号の処理能力を備える集積回路チップである可能性がある。実現中に、上記方法の各ステップは、プロセッサ５０１内のハードウェアの集積化論理回路又はソフトウェアの形式の命令を介して達成することができる。上記プロセッサ５０１は、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブル論理デバイス、個別ゲート又はトランジスタ論理デバイス、個別ハードウェア組立部品であってもよい。本開示の実施例において開示された各方法、ステップ及び倫理ブロック図を実現又は実行することができる。汎用プロセッサは、マイクロプロセッサであってもよく、又は該プロセッサは、任意の通常のプロセッサなどであってもよい。本開示の実施例に開示された方法を結合するステップは、ハードウェア解読プロセッサによって実行されて完成されるか、又は解読プロセッサ内のハードウェアとソフトウェアモジュールとの組み合わせによって実行されて完成されるものとして、直接的に具体化され得る。ソフトウェアモジュールは、ランダムメモリ、フラッシュメモリ、読み取り専用メモリ、プログラマブル読み取り専用メモリ又は電気的消去可能なプログラマブル読み出し専用メモリ、レジスターなどの本分野における完全に発達したコンピュータ読み取り可能な記憶媒体に位置してもよい。該コンピュータ読み取り可能な記憶媒体がメモリ５０２に位置し、プロセッサ５０１は、メモリ５０２内の情報を読み取って、ハードウェアと結合して上記方法のステップを完成する。具体的には、該コンピュータ読み取り可能な記憶媒体に、プロセッサ５０１によって実行されると、上記図１に示される方法の実施例の各ステップを実現するコンピュータプログラムが記憶されている。
【００９４】
本開示の実施例に記載されるこれらの実施例は、ハードウェア、ソフトウェア、ファームウェア、ミドルウェア、マイクロコード、又はその組合せによって実現できることを理解され得る。ハードウェアによる実現に対して、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタルシグナルプロセッサ（Ｄｉｇｉｔａｌ  Ｓｉｇｎａｌ  Ｐｒｏｃｅｓｓｉｎｇ、ＤＳＰ）、デジタル信号処理デバイス（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本開示に記載の機能を実行するためのその他の電子ユニット又はその組み合わせ内に実現することができる。
【００９５】
ソフトウェアによる実現に対して、本開示の実施例に記載の機能を実行するモジュール（例えば、プロセス、関数など）により、本開示の実施例に記載の技術を実現することができる。ソフトウェアコードは、メモリに記憶され、かつプロセッサによって実行されてもよい。メモリは、プロセッサ内又はプロセッサの外部で実現することができる。
【００９６】
端末機器５００は、さらに、前述の図１に示される実施例で端末機器が実現する各プロセスを実現することができ、重複を避けるため、繰り返して説明しない。
【００９７】
選択的に、本開示の実施例は、プロセッサ５０１と、メモリ５０２と、メモリ５０２上に記憶されてプロセッサ５０１上で実行可能で、プロセッサ５０１によって実行されると、上記図１の方法の実施例の各プロセスを実現し、かつ同様な技術的効果を達成することができるコンピュータプログラムとを含む、端末機器をさらに提供し、重複を避けるため、ここでは繰り返して説明しない。
【００９８】
本開示の実施例は、プロセッサによって実行されると、上記図１の方法の実施例の各プロセスを実現し、かつ同様な技術的効果を達成することができるコンピュータプログラムが記憶されているコンピュータ読み取り可能な記憶媒体をさらに提供し、重複を避けるため、ここでは繰り返して説明しない。前記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ，ＲＡＭと略称する）、ディスク又は光ディスクなどであってもよい。
【００９９】
図６に示すとおり、図６は、本開示の実施例が適用されるネットワーク側機器の構成図であり、図２に示される実施例における方法の詳細を実現し、かつ同様の効果を達成することができる。図６に示すように、ネットワーク側機器６００は、プロセッサ６０１、トランシーバ６０２、メモリ６０３、ユーザインタフェース６０４及びバスインタフェースを含み、
本開示の実施例では、ネットワーク側機器６００は、メモリ６０３に記憶されてプロセッサ６０１上で実行可能で、プロセッサ６０１によって実行されると、
ＨＡＲＱ−ＡＣＫフィードバック時間パラメータを付帯する目標シグナリングを端末機器に送信するステップと、
第１の時間領域リソースで、該端末機器に下り伝送のセミパーシステントスケジューリングデータを送信するステップと、を実現するコンピュータプログラムをさらに含み、
ここで、端末機器は、該ＨＡＲＱ−ＡＣＫフィードバック時間パラメータ及び第１の時間領域リソースに応じて、該下り伝送のセミパーシステントスケジューリングデータのＨＡＲＱ−ＡＣＫフィードバック時間を特定するために、該ＨＡＲＱ−ＡＣＫフィードバック時間パラメータが用いられる。
【０１００】
図６において、バスアーキテクチャは、任意の数の相互接続されたバス及びブリッジを含んでもよく、具体的には、プロセッサ６０１に代表される１つ以上のプロセッサ及びメモリ６０３に代表されるメモリの様々な回路によって接続されている。バスアーキテクチャは、さらに、周辺機器、電圧レギュレータ及びパワー管理回路などの様々なその他の回路を互いに接続してもよく、これらは、いずれも本分野において既知のものであるため、本明細書においてさらに説明しない。バスインタフェースは、インタフェースを提供する。トランシーバ６０２は、複数の部品であってもよく、すなわち送信機及び受信機を含み、伝送媒体上で様々なその他の機器と通信するためのユニットを提供する。異なるユーザ機器に対して、ユーザインタフェース６０４は、必要な機器を外接と内接することができるインタフェースであってもよく、接続された機器は、キーパッド、ディスプレイ、スピーカ、マイクロホン、操縦桿などを含むが、それらに限定されない。
【０１０１】
プロセッサ６０１は、バスアーキテクチャ及び一般的な処理を管理し、メモリ６０３は、プロセッサ６０１が操作実行時に使用されるデータを記憶してもよい。
【０１０２】
ネットワーク機器６００は、さらに、前述の図２に示される実施例でネットワーク機器が実現する各プロセスを実現することができ、重複を避けるため、ここでは繰り返して説明しない。
【０１０３】
本開示の実施例は、プロセッサによって実行されると、上記図２の方法の実施例の各プロセスを実現し、かつ同様な技術的効果を達成することができるコンピュータプログラムが記憶されているコンピュータ読み取り可能な記憶媒体をさらに提供し、重複を避けるため、ここでは繰り返して説明しない。前記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ，ＲＡＭと略称する）、ディスク又は光ディスクなどであってもよい。
【０１０４】
なお、本明細書において、用語「含む」、「含有」又はその如何なる他の変形は、非排他性の包含をカバーすることを意図することにより、一連の要素を含むプロセス、方法、物品又は機器は、それらの要素を含むだけでなく、明確に列記されていない他の要素も含み、又はこのようなプロセス、方法、物品又は機器の固有の要素をさらに含む。より多くの限定がない場合に、語句「１つ．．．を含む」により限定された要素は、該要素を含むプロセス、方法、物品又は機器にさらに別の同一の要素が存在することを排除するものではない。
【０１０５】
以上の実施形態の説明により、当業者は、上記実施例の方法がソフトウェアと必要な汎用ハードウェアプラットフォームを併用した方法で実現でき、当然のことながらハードウェアでも実現できるが、多くの場合に前者がより好ましい実施形態であることを明確に理解することができる。このような理解に基づいて、本開示の技術手段は、本質的又は従来技術に寄与する部分がソフトウェア製品の形態で具現化されてもよく、該コンピュータソフトウェア製品は、記憶媒体（例えば、ＲＯＭ／ＲＡＭ、磁気ディスク、光ディスク）内に記憶され、一台の端末（携帯電話、コンピュータ、サーバ、エアコン又はネットワーク機器などであってもよい）に本開示の各実施例に記載の方法を実行させるための複数の命令を含む。
【０１０６】
以上で添付図面を結合して本開示の実施例を説明したが、本開示は、上記具体的な実施形態に限定されるものではなく、上記具体的な実施形態は、ただ例示的なものであり、制限的なものではなく、当業者であれば本開示の示唆で、本開示の趣旨及び特許請求の範囲の保護範囲から逸脱せずに多くの形態を行うことができ、これらはいずれも本開示の保護範囲内に属する。
【図１】
2021519002.tif 000003
【図２】
2021519002.tif 000004
【図３】
2021519002.tif 000005
【図４】
2021519002.tif 000006
【図５】
2021519002.tif 000007
【図６】
2021519002.tif 000008
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
端末機器に適用されるＨＡＲＱ−ＡＣＫ（Ｈｙｂｒｉｄ  Ａｕｔｏｍａｔｉｃ  Ｒｅｐｅａｔ  ｒｅｑｕｅｓｔ  Ａｃｋｎｏｗｌｅｄｇｅｍｅｎｔ）フィードバック時間の特定方法であって、
ＨＡＲＱ−ＡＣＫフィードバック時間パラメータを付帯し、下りセミパーシステントスケジューリング設定をアクティブ化するための下り制御シグナリングを受信することと、
第１の時間領域リソースで下り伝送のセミパーシステントスケジューリングデータを受信することと、
前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することとを含む、ＨＡＲＱ−ＡＣＫフィードバック時間の特定方法。
【請求項２】
前記ＨＡＲＱ−ＡＣＫフィードバック時間パラメータは、フィードバック時間間隔又はフィードバック時間間隔区間である、請求項１に記載の方法。
【請求項３】
前記ＨＡＲＱ−ＡＣＫフィードバック時間パラメータがフィードバック時間間隔である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔及び前記第１の時間領域リソースに基づいて、第１のＨＡＲＱ−ＡＣＫフィードバック時間を特定することと、
前記第１のＨＡＲＱ−ＡＣＫフィードバック時間の時間領域リソースフォーマットと、準静的又は動的上り下り設定が指示した時間領域リソースフォーマットとが衝突すると、前記第１のＨＡＲＱ−ＡＣＫフィードバック時間後の最も近い使用可能な上り時刻を前記ＨＡＲＱ−ＡＣＫフィードバック時間として特定することとを含む、請求項２に記載の方法。
【請求項４】
前記ＨＡＲＱ−ＡＣＫフィードバック時間パラメータがフィードバック時間間隔である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔及び前記第１の時間領域リソースに基づいて、第１のＨＡＲＱ−ＡＣＫフィードバック時間を特定することと、
前記第１のＨＡＲＱ−ＡＣＫフィードバック時間の時間領域リソースフォーマットと、準静的又は動的上り下り設定が指示した時間領域リソースフォーマットとが衝突すると、前記第１のＨＡＲＱ−ＡＣＫフィードバック時間後の、ＰＵＣＣＨ（Ｐｈｙｓｉｃａｌ  Ｕｐｌｉｎｋ  Ｃｏｎｔｒｏｌ  Ｃｈａｎｎｅｌ）リソースが設定され、かつＰＵＳＣＨ（Ｐｈｙｓｉｃａｌ  Ｕｐｌｉｎｋ  Ｓｈａｒｅｄ  Ｃｈａｎｎｅｌ）伝送がスケジューリング又は設定された、伝送方向が特定されていない最も近い使用可能な時間領域リソースである第２の時間領域リソースを前記ＨＡＲＱ−ＡＣＫフィードバック時間として特定することとを含む、請求項２に記載の方法。
【請求項５】
前記ＨＡＲＱ−ＡＣＫフィードバック時間パラメータがフィードバック時間間隔区間である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔区間及び前記第１の時間領域リソースに基づいて、第２のＨＡＲＱ−ＡＣＫフィードバック時間及びＨＡＲＱ−ＡＣＫフィードバック時間区間を特定することと、
前記第２のＨＡＲＱ−ＡＣＫフィードバック時間の時間領域リソースフォーマットと、準静的又は動的上り下り設定が指示した時間領域リソースフォーマットとが衝突し、かつ前記ＨＡＲＱ−ＡＣＫフィードバック時間区間における少なくとも１つの時間領域リソースの時間領域リソースフォーマットと、準静的又は動的上り下り設定が指示した時間領域リソースフォーマットとが衝突しないと、前記少なくとも１つの時間領域リソースのうちの１つを前記ＨＡＲＱ−ＡＣＫフィードバック時間として特定することとを含む、請求項２に記載の方法。
【請求項６】
前記ＨＡＲＱ−ＡＣＫフィードバック時間パラメータがフィードバック時間間隔区間である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔区間及び前記第１の時間領域リソースに基づいて、第２のＨＡＲＱ−ＡＣＫフィードバック時間及びＨＡＲＱ−ＡＣＫフィードバック時間区間を特定することと、
前記ＨＡＲＱ−ＡＣＫフィードバック時間区間における時間領域リソースの時間領域リソースフォーマットと、準静的又は動的上り下り設定が指示した時間領域リソースフォーマットとがいずれも衝突すると、前記ＨＡＲＱ−ＡＣＫフィードバック時間区間後の最も近い使用可能な上り時刻を前記ＨＡＲＱ−ＡＣＫフィードバック時間として特定することとを含む、請求項２に記載の方法。
【請求項７】
前記ＨＡＲＱ−ＡＣＫフィードバック時間パラメータがフィードバック時間間隔区間である場合、前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定することは、
前記フィードバック時間間隔区間及び前記第１の時間領域リソースに基づいて、第２のＨＡＲＱ−ＡＣＫフィードバック時間及びＨＡＲＱ−ＡＣＫフィードバック時間区間を特定することと、
前記ＨＡＲＱ−ＡＣＫフィードバック時間区間における時間領域リソースの時間領域リソースフォーマットと、準静的又は動的上り下り設定が指示した時間領域リソースフォーマットとがいずれも衝突すると、ＰＵＣＣＨリソースが設定され、かつ物理上り共有チャネルＰＵＳＣＨ伝送がスケジューリング又は設定された、伝送方向が特定されていない最も近い使用可能な時間領域リソースである第２の時間領域リソースを前記ＨＡＲＱ−ＡＣＫフィードバック時間として特定することとを含む、請求項２に記載の方法。
【請求項８】
第１の時間領域リソース及び前記下り伝送のセミパーシステントスケジューリングデータのＨＡＲＱ−ＡＣＫフィードバック時間のうちの少なくとも１種は、フレーム、サブフレーム、タイムスロット又はシンボルで表示される、請求項１〜７のいずれか１項に記載の方法。
【請求項９】
前記下り制御シグナリングは、前記端末機器が受信した最新の下り制御シグナリングである、請求項１に記載の方法。
【請求項１０】
ネットワーク機器に適用されるＨＡＲＱ−ＡＣＫフィードバック時間の指示方法であって、
ＨＡＲＱ−ＡＣＫフィードバック時間パラメータを付帯し、下りセミパーシステントスケジューリング設定をアクティブ化するための下り制御シグナリングを端末機器に送信することと、
第１の時間領域リソースで、前記端末機器に下り伝送のセミパーシステントスケジューリングデータを送信することと、を含み、
ここで、端末機器が、前記ＨＡＲＱ−ＡＣＫフィードバック時間パラメータ及び第１の時間領域リソースに応じて、前記下り伝送のセミパーシステントスケジューリングデータのＨＡＲＱ−ＡＣＫフィードバック時間を特定するために、前記ＨＡＲＱ−ＡＣＫフィードバック時間パラメータは用いられる、ＨＡＲＱ−ＡＣＫフィードバック時間の指示方法。
【請求項１１】
前記ＨＡＲＱ−ＡＣＫフィードバック時間パラメータに、フィードバック時間間隔又はフィードバック時間間隔区間を付帯する、請求項１０に記載の方法。
【請求項１２】
前記下り制御シグナリングにおける前記ＨＡＲＱ−ＡＣＫフィードバック時間パラメータを記憶するフィールドと、動的スケジューリング時の下り制御シグナリングにおけるＨＡＲＱ−ＡＣＫフィードバック時間パラメータを記憶するフィールドとは同じであるか、又は
前記下り制御シグナリングにおける前記ＨＡＲＱ−ＡＣＫフィードバック時間パラメータを記憶するフィールドは、新規追加フィールドであるか、又は
第１の時間領域リソース及び前記下り伝送のセミパーシステントスケジューリングデータのＨＡＲＱ−ＡＣＫフィードバック時間のうちの少なくとも１種は、フレーム、サブフレーム、タイムスロット又はシンボルで表示される、請求項１０又は１１に記載の方法。
【請求項１３】
下りセミパーシステントスケジューリングが設定された端末機器であって、
ＨＡＲＱ−ＡＣＫフィードバック時間パラメータを付帯し、下りセミパーシステントスケジューリング設定をアクティブ化するための下り制御シグナリングを受信する第１の受信モジュールと、
第１の時間領域リソースで下り伝送のセミパーシステントスケジューリングデータを受信する第２の受信モジュールと、
前記ＨＡＲＱ−ＡＣＫフィードバック時間パラメータ及び前記第１の時間領域リソースに基づいて、前記下り伝送のセミパーシステントスケジューリングデータのＨＡＲＱ−ＡＣＫフィードバック時間を特定する特定モジュールとを含む、端末機器。
【請求項１４】
前記ＨＡＲＱ−ＡＣＫフィードバック時間パラメータは、フィードバック時間間隔又はフィードバック時間間隔区間である、請求項１３に記載の端末機器。
【請求項１５】
ネットワーク機器であって、
ＨＡＲＱ−ＡＣＫフィードバック時間パラメータを付帯し、下りセミパーシステントスケジューリング設定をアクティブ化するための下り制御シグナリングを端末機器に送信する第１の送信モジュールと、
第１の時間領域リソースで、前記端末機器に下り伝送のセミパーシステントスケジューリングデータを送信する第２の送信モジュールと、を含み、
ここで、端末機器が、前記ＨＡＲＱ−ＡＣＫフィードバック時間パラメータ及び第１の時間領域リソースに応じて、前記下り伝送のセミパーシステントスケジューリングデータのＨＡＲＱ−ＡＣＫフィードバック時間を特定するために、前記ＨＡＲＱ−ＡＣＫフィードバック時間パラメータは用いられる、ネットワーク機器。
【国際調査報告】
2021519002.tif 000009
2021519002.tif 000010
2021519002.tif 000011
2021519002.tif 000012